(57)【要約】【課題】リム部の裏面を洗浄できる便器装置を提供する。【解決手段】便器装置１は、上方が開口した鉢状のボウル部２と、前記ボウル部の上端の周縁に設けられ前記ボウル部内方に向き合うように水平方向に突出したリム部３と、該リム部の裏面３１に向けて洗浄水５０を噴射するノズル４とを備えている。【選択図】図１
2016176235.tif 000002
【特許請求の範囲】
【請求項１】
上方が開口した鉢状のボウル部と、前記ボウル部の上端の周縁に設けられ前記ボウル部内方に向き合うように水平方向に突出したリム部と、該リム部の裏面に向けて洗浄水を噴射するノズルとを備えていることを特徴とする便器装置。
【請求項２】
請求項１において、
前記ノズルは、前後方向に移動自在に設けられ、
前記ノズルの先端には、前記リム部の裏面全周に向けて前記洗浄水を噴射するように回転するノズルヘッド部が設けられていることを特徴とする便器装置。
【請求項３】
請求項２において、
前記ノズルヘッド部は、前記洗浄水を扇状に噴射するスプレー部を備えていることを特徴とする便器装置。
【請求項４】
請求項１乃至請求項３のいずれか１項において、
前記洗浄水は、５０℃以上の温水であることを特徴とする便器装置。
【発明の詳細な説明】
【技術分野】
【０００１】
本発明は、便器装置に関する。
【背景技術】
【０００２】
便器装置のボウル部の洗浄機能、除菌機能を向上させるものとして、例えば下記特許文献１や下記特許文献２が挙げられる。
下記特許文献１には、ガス給湯器、電気温水器等の熱水生成器の流出側を便器の洗浄水供給通路へ連通接続して便器を洗浄する便器洗浄装置が開示されている。
また下記特許文献２には、ボウル部にオゾン水や電解水等の機能水を噴霧状に吐出する機能水噴霧部を備えた水洗式大便器が開示されている。
【先行技術文献】
【特許文献】
【０００３】
【特許文献１】特開平１０−２３７９２２号公報
【特許文献２】特開２００４−９２２７８号公報
【発明の概要】
【発明が解決しようとする課題】
【０００４】
ところでこのような便器装置は、便器装置のボウル部の上端の周縁に、ボウル部内方に向き合うように水平に突出したリム部が形成されているものが知られている。
リム部の表面となる上側には便座が設置され、リム部の裏面となる下側は、ボウル部内を洗浄する洗浄水の通水路になっている。
このリム部の裏面は、ボウル部に封水された水の水面にあたって飛び跳ねた尿等が付着したり、該裏面とボウル部の表面との角部にカビが発生する等、汚れがたまりやすい。しかしながら、便器装置を上から見下ろすとリム部の裏面は見えないため、掃除がおろそかになりがちで、洗浄しにくい場所といえる。
上記特許文献１や上記特許文献２に開示されているものは、いずれもボウル部内の表面を洗浄するもので、リム部の裏面を積極的に直接洗浄できるものとはいえない。
【０００５】
本発明は、このような事情を考慮して提案されたもので、その目的は、リム部の裏面を洗浄できる便器装置を提供することにある。
【課題を解決するための手段】
【０００６】
前記目的を達成するために、本発明に係る便器装置は、上方が開口した鉢状のボウル部と、前記ボウル部の上端の周縁に設けられ前記ボウル部内方に向き合うように水平方向に突出したリム部と、該リム部の裏面に向けて洗浄水を噴射するノズルとを備えていることを特徴とする。
【０００７】
本発明において、前記ノズルは、前後方向に移動自在に設けられ、前記ノズルの先端には、前記リム部の裏面全周に向けて前記洗浄水を噴射するように回転するノズルヘッド部が設けられているものとしてもよい。
また本発明において、前記ノズルヘッド部は、前記洗浄水を扇状に噴射するスプレー部を備えているものとしてもよい。
さらに本発明において、前記洗浄水は、５０℃以上の温水としてもよい。
【発明の効果】
【０００８】
本発明に係る便器装置は、上述のような構成としたことで、リム部の裏面を洗浄できる。
【図面の簡単な説明】
【０００９】
【図１】本発明の一実施形態に係る便器装置を示す一部概略断面図である。
【図２】（ａ）〜（ｃ）は同便器装置の便器本体の模式的平面図であり、ノズルによる洗浄状態を示す説明図である。
【図３】同便器装置の変形例を示す一部概略断面図である。
【図４】本発明の他の実施形態に係る便器装置を示す一部概略断面図である。
【図５】（ａ）〜（ｃ）は図４に示す実施形態に係る便器装置の便器本体の模式的平面図であり、ノズルによる洗浄状態を示す説明図である。
【発明を実施するための形態】
【００１０】
以下に本発明の実施の形態について、図面に基づいて説明する。
なお、以下の各実施形態では、便器装置を設置した状態を基準として上下方向を説明し、便器装置の給水機構（給水機構７、給水部８）がある側を後方、給水機構がない側を前方等として方向を説明する。
【００１１】
図１〜図３は、第１実施形態に係る便器装置の一例を示す図である。
本実施形態に係る便器装置１は、床等の設置面に設置される着座式のいわゆる洋式の便器装置１とされている。
この便器装置１には、上方が開口した鉢状のボウル部２と、ボウル部２の上端の周縁に設けられボウル部２内方に向き合うように水平方向に突出したリム部３と、該リム部３の裏面３１に向けて洗浄水５０を噴射するノズル４とを備えている。以下、詳しく説明する。
【００１２】
便器装置１は、ボウル部２と、給水管に接続され洗浄水６０をボウル部２内に供給する給水機構７と、ボウル部２の底部に開設された排水口２０と連通された外部排水管に接続される排水機構９等を備えている。便器装置１には、ボウル部２に対して開閉自在とされた便座５や便蓋６が設けられている。
ボウル部２は、硬質のＡＢＳ、アクリルなどの合成樹脂や陶器等で製されており、ボウル部２の側面の外周には、ボウル部２を隠蔽するようにスカート部１２が設けられている。
【００１３】
リム部３は、上述したようにボウル部２の上端の周縁に設けられボウル部２の内方に向き合うように水平方向に突出して形成されている。リム部３の表面３０は、便座５が設置できるように平坦状となっている。リム部３の裏面３１は、ボウル部２の上端の周方向に沿って給水機構７から供給される洗浄水６０をボウル部２内に供給する通水路を形成するように断面視において平坦部分３１ａを経て裏面３１からボウル部２の表面へと角部が湾曲状（湾曲部分３１ｂ）に形成されている。
【００１４】
便器装置１の給水機構７は、給水管（不図示）に接続され、洗浄水を貯留する水洗タンク（ロータンク）からの洗浄水をボウル部２側に供給する供給部としての給水弁（不図示）を備えた構成としている。なお、便器装置１を、このような水洗タンクを備えたものとせずに、水道直圧式等のいわゆるタンクレスタイプとしてもよい。
【００１５】
なお、便器装置１の構成は図例に限定されず、便座５や便蓋６を開閉する開閉装置や、脱臭装置、局部洗浄装置、便座や局部洗浄用水等を温める加熱装置、洗剤供給装置等の各種機能装置を設けた構成としてもよい。
また便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
さらに便器装置１の排水機構９も特に限定されず、例えばボウル部２の底部に設けられた排水口２０に接続された筒状トラップを駆動機構によって回動させて排水及び封水する構成とされたいわゆるターントラップ式のものとしてもよい。その他、排水機構としては、サイホン式やサイホンゼット式、サイホンボルテックス式、ネオボルテックス式、洗い落とし式等の排水機構を採用するようにしてもよい。
【００１６】
ノズル４は、ボウル部２に形成された開口部１１から出没自在に設けられている。開口部１１は、ボウル部２の後方側（給水機構７側）で且つボウル部２内に溜められた洗浄水６０の水面６０ａより上方に設けられている。開口部１１の形状は、特に限定されず、ノズル４の先端に設けられたノズルヘッド部４０が開口部１１内に収容できるように構成されていればよい。開口部１１には、ノズル４を使用していない際にボウル部２内を洗浄する洗浄水６０が浸入しないように塞ぐ開閉部１０を設けてもよい。図１に示す開閉部１０は硬質のＡＢＳ、アクリルなどの合成樹脂等から製され、開口部１１の上端で開閉自在に軸支されている。ノズル４が開口部１１内に収容されているとき、開閉部１０は閉じた状態になり、ノズル４が図１に示すように伸長された状態のとき、開閉部１０は開いた状態となる。
なお、開閉部１０の構成等は図例に限定されず、例えば開閉部１０の外周縁にシール部材が設けられたものとしてもよい。
【００１７】
ノズル４は、リム部３の裏面３１を洗浄するときに便器後方から伸長されるように前後方向に移動自在に設けられる。
ノズル４は、洗浄水５０を噴射するノズルヘッド部４０と、ノズルヘッド部４０を支持する棒状のアーム部４１と、ノズル４を前後方向に移動自在とするノズル駆動機構（不図示）と、ノズルヘッド部４０から噴射する洗浄水５０を供給する給水部８とを備えている。ノズル駆動機構は、ノズル４の先端が、ボウル部２空間の略中央付近（図２（ａ）参照）まで伸長できる機構を備えるとともに、その駆動を制御する制御部を備えている。
ノズル４の先端には、リム部３の裏面３１全周に向けて洗浄水５０を噴射するように垂直軸回りに回転するノズルヘッド部４０が設けられている。ノズルヘッド部４０の回転方向は、特に限定されるものではなく、図例は左回りを示しているが、右回りであってもよいし、左右双方に回転する構成としてもよい。
ノズルヘッド部４０の構成は、特に限定されないが、図例のものは、円柱形状のヘッド本体４０ａと、洗浄水５０を平面視において横広がりの扇状に噴射するスプレー部４０ｂとを備えている。
【００１８】
給水部８からは、５０℃以上の温水が供給される構成としてもよい。この場合は、リム部３の裏面３１を５０℃以上の温水で洗浄できるため、裏面３１の汚れを効率よく落とすことができる。またこの場合は薬剤等を使わず、安全にリム部３の裏面３１を除菌することもできる。
給水部８の構成はこれに限定されず、５０℃以上の温水でリム部３の裏面３１を洗浄した後、一定時間経過後に冷水がノズルヘッド部４０から噴射されるようにしてもよい。この場合は、リム部３の裏面３１にカビの発生することを効果的に防ぐことができる。さらに給水部８からオゾン水を供給できるものしてもよい。この場合は、オゾン水の強い酸化力でリム部３の裏面３１を洗浄・除菌・脱臭することができる。
【００１９】
次に図２（ａ）〜（ｃ）、図３を参照しながら、ノズル４によるリム部３の裏面３１の洗浄状態を説明する。なお、図２では説明のため、便座５、便蓋６は図示していないが、ノズル４でリム部３の裏面３１を洗浄する際には、便座５は着座の状態とし、便蓋６によってボウル部２を閉塞した状態で行う。
図２（ａ）は、図１に示す状態を平面視した図である。図２（ａ）の状態は、ノズル４がボウル部２の略中央位置まで伸長され、リム部３の前方の裏面３１を洗浄する状態を示している。リム部３の裏面３１でも図１に示す「３１ａ」の領域、すなわちリム部３の裏面３１のうち、湾曲した湾曲部分３１ｂでなく、平坦になった平坦部分３１ａは、ボウル部２に封水された洗浄水６０の水面６０ａにあたって飛び跳ねた尿等が付着しやすい場所である。しかしながら、給水機構７から供給される洗浄水６０の通水路は、リム部３の裏面３１の湾曲した湾曲部分３１ｂよりも下方を通過するため、裏面３１の平坦部分３１ａは洗浄水６０が通過せず洗浄されない場所となってしまうのである。
そこでこのノズル４によれば、掃除がしにくいリム部３の裏面３１に向けてダイレクトに洗浄水５０を噴射でき、洗浄することができる。
ノズルヘッド部４０のスプレー部４０ｂからの噴射角度は、所定の一定の角度に設定してもよいし、図２（ａ）に示すように「ａ」の３０°〜「ｂ」の４５°と洗浄水５０の扇状の中心角を可変できるようにしてもよい。
なお、スプレー部４０ｂの側面視における噴射角度も図例に限定されず、所定の一定の角度に設定してもよいし、中心角を可変できるようにしてもよい。
【００２０】
リム部３の裏面３１を洗浄中のノズルヘッド部４０は、スプレー部４０ｂの噴射口をリム部３の前方に向け、図２（ａ）のようにリム部３の前方の裏面３１を洗浄した後、スプレー部４０ｂの噴射口の向きを移動させていく。そしてスプレー部４０ｂの噴射口を回転移動させながら、リム部３の裏面３１の一側部を洗浄している状態を示した図が図２（ｂ）である。そして、続いて図２（ｃ）に示すようにリム部３の後方の裏面３１を洗浄するようにしてもよい。
以上によれば、掃除がしにくいリム部３の裏面３１全周を洗浄することができる。また洗浄水５０が図２に示すように扇状に広がることで、より効果的に裏面３１全周をくまなく洗浄することができる。
【００２１】
図２（ａ）〜（ｃ）に示す例では、ノズル４がボウル部２の略中央位置に伸長した後、アーム部４１自体は固定状態で、ノズルヘッド部４０のみが回転する例を示しているが、これに限定されない。例えばスプレー部４０ｂとスプレー部４０ｂから噴射される洗浄水５０で洗浄される位置とが極力近くなるようにノズル４を前後に移動させるようにしてもよい。
図３は、リム部３の後方の裏面３１を洗浄する際は、アーム部４１を給水部８側（リム部３の後方）に縮ませ、なるべくリム部３の後方の裏面３１に近い位置から洗浄水５０を噴射させ洗浄する例を示している。リム部３の裏面３１の中でも図３に示す「３１ｃ」の領域、すなわちリム部３の裏面３１の後方湾曲部分３１ｃは、給水機構７から供給される洗浄水６０の通水路にならず、洗浄水６０が行き届かない場合がある。またこの後方湾曲部分３１ｃは給水機構７の下方位置になるため、汚れが溜まりやすい場所でありながら、掃除がしにくい場所である。
よって、図３に示すようにノズル４を移動させ、スプレー部４０ｂからの噴射を極力近くから受けることで、水圧によって洗浄効果の向上が期待できる。
【００２２】
次に、本発明に係る他の実施形態について、図面を参照しながら説明する。
図４、図５は、第２実施形態に係る便器装置の一例を模式的に示す図である。
なお、上記第１実施形態との相違点について主に説明し、同様の構成については、同一の符号を付し、その説明を省略または簡略に説明する。また、上記第１実施形態と同様の動作についても説明を省略または簡略に説明する。
【００２３】
本実施形態における便器装置１Ａは、ノズル４を構成するアーム部４１の先端に開口部１１を塞ぐカバー部４２が設けられ、ノズルヘッド部４０がアーム部４１の中間位置よりカバー部４２側に設けられている点で第１実施形態と異なる。
カバー部４２は、硬質のＡＢＳ、アクリルなどの合成樹脂等で製されており、ボウル部２に形成された開口部１１の形成に応じて形成されている。
この実施形態においても、ノズル４がリム部３の裏面３１に向けて洗浄水５０を噴射するように設けられている点は、第１実施形態と共通である。またリム部３の裏面３１全周に向けて洗浄水５０を噴射するように垂直軸回りに回転するノズルヘッド部４０が設けられている点も、第１実施形態と共通である。
以上によれば、ノズル４が前方に伸長した際には、カバー部４２もノズル４とともに前進し、ノズル４が後方に縮み、開口部１１内に収容された際には、カバー部４２によって開口部１１を塞ぐことができる。
【００２４】
図５には、ノズル４によるリム部３の裏面３１の洗浄状態を説明する。なお、図５も図２と同様、説明のため、便座５、便蓋６は図示していないが、ノズル４でリム部３の裏面３１を洗浄する際には、便座５は着座の状態とし、便蓋６によってボウル部２を閉塞した状態で行う。
本実施形態においても、第１実施形態と同様にノズル４によって、掃除がしにくいリム部３の裏面３１に向けてダイレクトに洗浄水５０を噴射でき、洗浄することができる。図５（ａ）は、ノズル４がボウル部２の略中央位置まで伸長され、リム部３の前方の裏面３１を洗浄する状態を示している。そしてスプレー部４０ｂの噴射口を回転移動させながら、リム部３の裏面３１の一側部を洗浄している状態を示した図が図５（ｂ）である。そして、続いて図５（ｃ）に示すようにリム部３の後方の裏面３１を洗浄するようにしてもよい。
以上によれば、掃除がしにくいリム部３の裏面３１全周を洗浄することができる。また洗浄水５０が図５に示すように扇状に広がることで、より効果的に裏面３１全周をくまなく洗浄することができる。
【００２５】
なお、便器装置１、ボウル部２、リム部３等の形状、構成は図例に限定されるものではなく、ノズル４の形状、長さ、構成等も図例に限定されるものではない。またノズル４によるリム部３の裏面３１の洗浄工程は、本実施形態で説明した例に限定されない。リム部３の裏面３１の後方もしくはいずれか一方の側方から洗浄を開始してもよいし、ノズルヘッド部４０の回転数も特に限定されるものではない。
【符号の説明】
【００２６】
１，１Ａ      便器装置
２            ボウル部
３            リム部
３１          裏面
４            ノズル
４０          ノズルヘッド部
４０ｂ        スプレー部
５０          洗浄水
【図１】
2016176235.tif 000003
【図２】
2016176235.tif 000004
【図３】
2016176235.tif 000005
【図４】
2016176235.tif 000006
【図５】
2016176235.tif 000007